(57)【要約】【課題】メモリーカード装着部の絶縁性能を向上させたメモリーカード装着機器を提供すること。【解決手段】メモリーカードの購入口に設けられた蓋４の開閉と連動する開閉部６を装着部３と制御部５との間に設け、蓋４が開いている時には、開閉部６が装着部３と制御部５の電気的な接続をオフし、閉じている時にオンすることで、メモリーカードに触れる状態における、使用者と機器の充電部との絶縁性能を向上したメモリーカード装着機器を提供することができる。【選択図】　図１
2004013691.tif 000002
【特許請求の範囲】
【請求項１】
着脱自在の記憶部と、機器に設置された前記記憶部を装着する装着部と、前記装着部を覆う蓋と、前記記憶部とデータのやり取りを行うとともに機器全体の制御を行う制御部と、前記装着部と前記制御部との間に設けられ、前記装着部と前記制御部との電気的な接続を開閉する開閉部を備え、前記開閉部は、前記蓋の開閉に連動して電気的接続を行うことを特徴としたメモリーカード装着機器。
【請求項２】
着脱自在の記憶部と、機器に設置された前記記憶部を装着する装着部と、前記装着部を覆う蓋と、前記記憶部とデータのやり取りを行うとともに機器全体の制御を行う制御部と、前記装着部と前記制御部との間に設けられ、前記装着部と前記制御部との電気的な接続を開閉する開閉部を備え、前記開閉部は、前記蓋が開いている時にオフし、閉じている時にオンすることを特徴としたメモリーカード装着機器。
【請求項３】
開閉スイッチと光結合素子で構成された開閉部を備えてなる請求項１または２に記載のメモリーカード装着機器。
【請求項４】
食品を調理する庫内と、庫内に設けられたドアを備え、前記ドアが装着部を覆う蓋の役割を行うことを特徴とした請求項１または２に記載のメモリーカード装着機器。
【発明の詳細な説明】
【０００１】
【発明の属する技術分野】
本発明は、メモリーカード等の着脱自在な記憶部を備えてなるメモリーカード装着機器に関するものである。
【０００２】
【従来の技術】
図４は、従来のメモリーカード装着機器のブロック図を示すものである。
【０００３】
図４において、１は記憶部であるメモリーカード、２はメモリーカード装着機器を表している。３はメモリーカード１の装着部であり、メモリーカード１の種類に応じたコネクタ等で構成されている。４は装着部３の挿入口に設けられた蓋であり、内部へのごみ等の侵入を防ぐために設けられている。５は機器全体の制御を行う制御部で、記憶部であるメモリーカード１との間で機器の制御に関するデータのやり取りを行っている。使用者がメモリーカード１を装着する場合、装着部３の挿入口に設けられた蓋４を開けて、メモリーカード１を挿入口に差し込む。一般的に装着部３に設けられたコネクタは、使用者がメモリーカード１を押し込むことにより、メモリーカード１に設けられている電極と、コネクタに設けられている接点が接触する構造になっている。これにより、制御部５はメモリーカード１と電気的な接続がなされ、データのやり取りが出来る状態となる。最後に使用者は、蓋４を閉じ、機器の操作を行う。また、使用者がメモリーカード１を取り外す場合には、蓋４を開け、装着部３に設けられたイジェクト機構を用いメモリーカード１を取り外す。一般的に、このイジェクト機構は、装着部３に設けられたコネクタに設けられている場合が多い。例えば、押しボタンを押すことにより、メモリーカード１が飛び出てくるものや、メモリーカード１自身を再度押し込むことで、メモリーカード１が飛び出てくるものなどがある。また、イジェクト機構のない場合もあり、この場合は直接メモリーカード１を装着部３より引き抜く。
【０００４】
【発明が解決しようとする課題】
しかしながら、前記従来の構成では、メモリーカードを装着した時点でメモリーカードと制御部との電気的な接続がなされているため、使用者と機器の充電部との電気的な絶縁は、商用電源に接続される制御部の電源を構成するトランス等の基礎絶縁と、メモリーカードの外郭ケース部の付加絶縁で確保されている場合や、メモリーカードの外郭ケース部の絶縁物の厚みが２ｍｍ以上の強化絶縁を施した場合が一般的である。しかしながら、最近ではメモリーカードの小型化が進んでおり、切手サイズの大きさのものや、厚みが１ｍｍ以下のものまで出てきており、場合によっては、メモリーカードの外郭ケース部のみでは、付加絶縁の絶縁物の厚み１ｍｍに対し十分な絶縁構造が達成できないという課題を有していた。
【０００５】
本発明は、前記従来の課題を解決するもので、メモリーカードの購入口に設けられた蓋の開閉と連動する開閉部を装着部と制御部との間に設け、蓋が開いている時には、開閉部が装着部と制御部の電気的な接続をオフし、閉じている時にオンするようにし、蓋が開いている時はもちろんのこと、メモリーカード挿抜時においてもメモリーカードが充電部にならない構成とすることで、使用者と機器の充電部との絶縁性能を向上したメモリーカード装着機器を提供することを目的とする。
【０００６】
【課題を解決するための手段】
前記従来の課題を解決するために、本発明のメモリーカード装着機器は、着脱自在の記憶部と、機器に設置された記憶部を装着する装着部と、装着部を覆う蓋と、記憶部とデータのやり取りを行うとともに機器全体の制御を行う制御部と、装着部と制御部との間に設けられ、蓋が開いている時に装着部と制御部の電気的な接続をオフし、閉じている時にオンする開閉部により構成したものである。
【０００７】
これによって、蓋が開いている時はもちろんのこと、メモリーカード挿抜時においてもメモリーカードが充電部にならないため、使用者と機器の充電部との絶縁性能を向上することができる。
【０００８】
【発明の実施の形態】
請求項１または２に記載の発明は、着脱自在の記憶部と、機器に設置された記憶部を装着する装着部と、装着部を覆う蓋と、記憶部とデータのやり取りを行うとともに機器全体の制御を行う制御部と、装着部と制御部との間に設けられ、装着部と制御部の電気的な接続を開閉する開閉部を備え、開閉部は、蓋が開いている時にオフし、閉じている時にオンすることで、蓋が開いている時はもちろんのこと、メモリーカード挿抜時においてもメモリーカードが充電部になることがなくなる。
【０００９】
請求項３に記載の発明は、特に、請求項１または２に記載のメモリーカード装着機器において、開閉部を構成する蓋の開閉と連動する開閉スイッチの一部を光結合素子で構成することで、蓋と開閉スイッチとを連動させる構造を簡素化することができる。
【００１０】
請求項４に記載の発明は、特に、請求項１または２に記載のメモリーカード装着機器において、食品を調理する庫内と庫内に設けられたドアを備え、庫内のドアが蓋を兼ねることにより、メモリーカードの装着部の挿入口に専用の蓋を設ける必要がなくなる。
【００１１】
【実施例】
以下本発明の実施例について、図面を参照しながら説明する。
【００１２】
（実施例１）
図１は、本発明の第１の実施例におけるメモリーカード装着機器のブロック図を示すものである。
【００１３】
図１において、１は記憶部であるメモリーカード、２はメモリーカード装着機器を表している。３はメモリーカード１の装着部であり、メモリーカード１の種類に応じたコネクタ等で構成されている。４は装着部３の挿入口に設けられた蓋であり、内部へのごみ等の侵入を防ぐとともに、蓋４を閉じた状態でメモリーカード１に触れなくするために設けられている。５は機器全体を制御する制御部で記憶部であるメモリーカード１との間で機器の制御に関するデータのやり取りも行っている。６は装着部と制御部との間に設けられた装着部３と制御部５との電気的な接続を開閉する開閉部であり、複数のスイッチ７等で構成されている。この開閉部６は、蓋４の開閉動作と連動しており、蓋４が開いている時にオフし、閉じている時にオンするようになっている。
【００１４】
以上のように構成されたメモリーカード装着機器について、以下にその動作、作用を説明する。使用者がメモリーカード１を装着する場合、装着部３の挿入口に設けられた蓋４を開ける。蓋４が開けられると、開閉部６に設けられた複数のスイッチ７がオフ状態となり、装着部３と制御部５との電気的な接続がオフされる。この状態で使用者は、メモリーカード１を挿入口に差し込む。一般的に装着部３に設けられたコネクタは、使用者によりメモリーカード１を押し込むことにより、メモリーカード１に設けられている電極と、コネクタに設けられている接点が接触する構造になっている。次に、蓋４を閉じることにより開閉部６に設けられた複数のスイッチ７がオンし、装着部３と制御部５との電気的な接続がなされ、これにより、制御部５はメモリーカード１とデータのやり取りが出来る状態となる。また、使用者がメモリーカード１を取り外す場合には、蓋４を開ける。蓋４が開けられると開閉部６に設けられたスイッチ７がオフし、装着部３と制御部５との電気的な接続がオフされる。この状態で、使用者は装着部３よりメモリーカード１を取り外す。メモリーカード１を取り外す機構は、装着部３に設けられたイジェクト機構を用いメモリーカード１を取り外す。一般的に、このイジェクト機構は、装着部３に設けられたコネクタに設けられている場合が多い。例えば、押しボタンを押すことにより、メモリーカード１が飛び出てくるものや、メモリーカード１自身を再び押し込むことで、メモリーカード１が飛び出てくるものなどがある。また、イジェクト機構のない場合もあり、この場合は直接メモリーカード１を装着部３より引き抜く。
【００１５】
以上のように、本実施例においては、メモリーカードに触れる状態において、メモリーカードと制御部との電気的な接続をオフすることで、使用者と機器の充電部との絶縁性能を向上することができる。
【００１６】
（実施例２）
図２は、本発明の第２の実施例のメモリーカード装着機器のブロック図である。実施例１の構成と異なるところは、開閉部６をスイッチ７とホトカプラ等の光結合素子８との組み合わせで構成した点である。なお、実施例１と同一符号のものは同一構成を有し、説明を省略する。
【００１７】
以下その動作、作用を説明する。使用者がメモリーカード１を装着する場合、装着部３の挿入口に設けられた蓋４を開ける。蓋４が開けられると、開閉部６に設けられた複数のスイッチ７がオフ状態となり、装着部３と制御部５との電気的な接続がオフされる。この状態で使用者は、メモリーカード１を挿入口に差し込む。一般的に装着部３に設けられたコネクタは、使用者がメモリーカード１を押し込むことにより、メモリーカード１に設けられている電極と、コネクタに設けられている接点が接触する構造になっている。次に、蓋４を閉じることにより開閉部６に設けられた複数のスイッチ７がオンし、装着部３と制御部５との電気的な接続がなされる。複数のスイッチ７のうち、いくつかのスイッチはメモリーカード１への電源供給ラインに設けられており、オンすることでメモリーカード１と光結合素子に電源が供給されメモリーカード１が動作する。そして、制御部５とメモリーカード１は、スイッチ７と光結合素子８を介した信号ラインを使いデータのやり取りが出来る状態となる。また、使用者がメモリーカード１を取り外す場合には、蓋４を開ける。蓋４が開けられると開閉部６に設けられたスイッチ７がオフし、装着部３と制御部５との電気的な接続がオフされる。この状態で、使用者は装着部３よりメモリーカード１を取り外す。
【００１８】
（実施例３）
図３は、本発明の第３の実施例のメモリーカード装着機器の外観図である。本実施例のメモリーカード装着機器として、図３は電子レンジの外観図を表している。実施例１及び実施例２の構成と異なるところは、食品を調理する庫内９と庫内に設けられたドア１０を備え、このドア１０にメモリーカード１の挿入口に設ける蓋の機能を兼ねさせている点である。なお、実施例１及び実施例２と同一符号のものは同一構成を有し、説明を省略する。
【００１９】
以下その動作、作用を説明する。使用者がメモリーカード１を装着する場合、電子レンジのドア１０を開ける。メモリーカード１の挿入口はドア１０を開けることにより現れる構成になっている。また、ドア１０と開閉部６に設けられたスイッチ７は連動しており、ドア１０が開けられると、開閉部６に設けられた複数のスイッチ７がオフ状態となる。これにより、装着部３と制御部５との電気的な接続がオフする。この状態で使用者は、メモリーカード１を挿入口に差し込む。次に、ドア１０を閉じることにより、開閉部６に設けられた複数のスイッチ７がオンし、装着部３と制御部５との電気的な接続がなされ、これにより、制御部５はメモリーカード１とデータのやり取りが出来る状態となる。また、一般的に電子レンジには、ドアの開閉状態を検出するためにドア１０と連動したスイッチが設けられており、このスイッチを開閉部６を構成するスイッチ７として使うことも出来るのは言うまでもない。次に、使用者がメモリーカード１を取り外す場合には、ドア１０が開けられる。ドア１０が開けられると開閉部６に設けられたスイッチ７がオフし、装着部３と制御部５との電気的な接続がオフされる。この状態で、使用者は装着部３よりメモリーカード１を取り外す。
【００２０】
【発明の効果】
以上のように、請求項１〜４に記載の発明によれば、メモリーカードに触れることができる状態において、メモリーカードと制御部との電気的な接続をオフすることで、使用者と機器の充電部との絶縁性能を向上したメモリーカード装着機器を提供することができる。
【図面の簡単な説明】
【図１】本発明の実施例１におけるメモリーカード装着機器のブロック図
【図２】本発明の実施例２におけるメモリーカード装着機器のブロック図
【図３】本発明の実施例３におけるメモリーカード装着機器の外観図
【図４】従来のメモリーカード装着機器のブロック図
【符号の説明】
１　記憶部
２　メモリーカード装着機器
３　装着部
４　蓋
５　制御部
６　開閉部
７　スイッチ
８　光結合素子
【図１】
2004013691.tif 000003
【図２】
2004013691.tif 000004
【図３】
2004013691.tif 000005
【図４】
2004013691.tif 000006